(57)【要約】本発明はユーザ認証システムおよびその方法に係り，認証システムは特定発給／支給サービスの利用のためのユーザ本人確認手順として赤外線通信を介してユーザの電子署名データを赤外線信号の形態で発生する移動通信端末機と，上記移動通信端末機からの電子署名データに対するユーザ認証の有効性を確認して特定発給／支給サービスを許す無人情報提供手段および，上記移動通信端末機の発給処理要求により認証書を登録して，上記認証書を通信網を介して上記無人情報提供手段にユーザ認証の有効性確認のために伝送する認証書提供手段で構成されたことを特徴とする。
2006522558.tif 000002
【特許請求の範囲】
【請求項１】
特定サービスを利用するユーザの本人確認をするために，ユーザの電子署名データを赤外線信号として発生することによって赤外線通信を行う移動通信端末機と；
前記移動通信端末機から受信した電子署名データの有効性を確認し，前記確認結果に基づき前記サービスの利用を許可する無人情報提供手段と；
前記移動通信端末機の発給処理要求により認証書を登録し，前記無人情報提供手段がユーザ認証の有効性確認をするために、前記認証書を通信網を介して伝送する認証書提供手段と；
を含むことを特徴とする，移動通信端末機の赤外線通信を利用したユーザ認証システム。
【請求項２】
前記移動通信端末機は，
保安サービス用プログラムと連動して保安サービスの進行に必要な情報を提供する保安ライブラリと；
前記認証書提供手段から受信した認証書データを保存する認証書保存部と；
一対の個人キーおよび公開キーを生成し，前記認証書提供手段を介して認証書の発給を受けるための処理をする認証書発給処理モジュールと；
前記認証書の発給処理と電子署名処理に対する保安サービスを提供する保安サービスモジュールと；
発給を受けた認証書を管理する認証書管理モジュールと；
発給された認証書を用いた電子署名の遂行とデータの暗号化／復号化を遂行する電子署名サービスモジュールと；
を含むアプリケーション構成を有することを特徴とする，請求項１に記載の移動通信端末機の赤外線通信を利用したユーザ認証システム。
【請求項３】
前記移動通信端末機は，ユーザ認証処理のため電子署名データを赤外線伝送する際，赤外線信号の送受信を遂行する赤外線通信処理部を含むことを特徴とする，請求項２に記載の移動通信端末機の赤外線通信を利用したユーザ認証システム。
【請求項４】
前記無人情報提供手段は，
特定サービスを要求するユーザからの入力を検出するキーパッドと；
前記移動通信端末機から電子署名データ受信によるユーザ認証処理のための赤外線信号の送受信を遂行する赤外線通信部と；
前記移動通信端末機からの電子署名データの有効性を前記認証書提供手段の認証書により検証して，ユーザが要求した前記サービスの進行可否を制御する制御モジュールと；
前記制御モジュールの検証制御機能と連動して，電子署名の検証処理に必要な情報を提供する保安サービスライブラリと；
通信網を介して前記認証書提供手段と接続され，ユーザの認証処理のためのデータ交換を遂行するネットワークインターフェースアダプタと；
前記制御モジュールの制御によって前記サービスを遂行する情報提供モジュールと；
を含むことを特徴とする，請求項１に記載の移動通信端末機の赤外線通信を利用したユーザ認証システム。
【請求項５】
前記無人情報提供手段を構成する制御モジュールは，前記認証書提供手段から認証書と認証書廃棄目録を受信され，その認証書廃棄目録により認証書の有効性を検証し，認証書を介して電子署名データの有効性検証およびユーザの本人確認処理を遂行することを特徴とする，請求項４に記載の移動通信端末機の赤外線通信を利用したユーザ認証システム。
【請求項６】
前記移動通信端末機と無人情報提供手段は，赤外線信号のプロトコルスタック中のＯＢＥＸ（Ｏｂｊｅｃｔ  Ｅｘｃｈａｎｇｅ  Ｓｅｒｖｉｃｅｓ）により電子署名データを交換するように構成されたことを特徴とする，請求項１〜５のいずれかに記載の移動通信端末機の赤外線通信を利用したユーザ認証システム。
【請求項７】
移動通信端末機から無人情報提供手段に対して特定サービスの要求がされる第１段階と；
前記無人情報提供手段の電子署名要求により，前記移動通信端末機で作成された電子署名データが赤外線通信を介して無人情報提供手段に伝送される第２段階と；
前記無人情報提供手段が，認証書提供手段から前記移動通信端末機が登録した認証書を通信網を介して獲得する第３段階と；
前記無人情報提供手段が，認証書と電子署名データの検証によりユーザの本人確認を遂行する第４段階と；
前記ユーザが本人と確認されれば，前記特定サービスを許可する第５段階と；
を含むことを特徴とする，移動通信端末機の赤外線通信を利用したユーザ認証方法。
【請求項８】
前記第２段階は，
前記無人情報提供手段が赤外線受信待機モードとなり，前記移動通信端末機は電子署名を遂行する段階と；
前記無人情報提供手段と移動通信端末機間の赤外線通信初期化を遂行する段階と；
前記無人情報提供手段が電子署名を要求する段階と；
前記移動通信端末機が電子署名データを赤外線信号として伝送する段階と；
を含むことを特徴とする，請求項７に記載の移動通信端末機の赤外線通信を利用したユーザ認証方法。
【請求項９】
前記第３段階は，
前記無人情報提供手段が通信網を介して前記認証書提供手段に接続され，前記移動通信端末機ユーザの認証書を照会する段階と；
前記移動通信端末機ユーザが登録した認証書を獲得する段階と；
前記認証書の廃棄目録を獲得する段階と；
を含むことを特徴とする，請求項７に記載の移動通信端末機の赤外線通信を利用したユーザ認証方法。
【請求項１０】
前記第４段階は，
前記認証書廃棄目録に基づいて認証書の有効性を検証する段階と；
前記有効性が検証された認証書を利用して電子署名データを検証する段階と；
前記認証書に含まれる身元確認情報によりユーザの本人確認を遂行する段階と；
を含むことを特徴とする，請求項７または９に記載の移動通信端末機の赤外線通信を利用したユーザ認証方法。
【発明の詳細な説明】
【技術分野】
【０００１】
本発明は，移動通信端末機の赤外線通信を利用したユーザ認証システムおよびその方法に係り，さらに詳細には移動通信端末機を利用した赤外線通信により無線ユーザ認証を遂行することができるようにする移動通信端末機の赤外線通信を利用したユーザ認証システムおよびその方法に関する。
【背景技術】
【０００２】
一般的に，現金の入金／支給や各種民間書類の無人発給などを担当する多様な形態の無人発給／支給システムでは，該当システムを介してサービスを受けようとするユーザに対する本人確認手順を経ている。このようなユーザの確認手順を介して，ユーザが保有する口座の現金入金／支給などが行われる。
【０００３】
このような無人発給／支給システムを利用するユーザの本人確認手順は，多様な方式で進められるようになっており，該当無人発給／支給システムと連結された関連サービス機関にパスワードを直接登録してこれを利用する方式が最も普及している。
【０００４】
また，他の方式として無人発給／支給システムに装着された指紋認識機を介して入力されたユーザの指紋を，あらかじめ登録された指紋と対照してユーザが本人であることを確認する，指紋認識を介した本人確認方式が適用されている。
【０００５】
しかし，このような従来のユーザ本人確認方式において，パスワードを介した本人確認方式の場合には，通常４桁の数字の組合せで構成されたパスワードを用いるようになっているが，パスワードの流出または巧妙な盗用が生じかねない。したがって上記方式では保安上の信頼性が落ちるという問題点がある。
【０００６】
また，指紋認識を介した本人確認方式の場合には，他人への情報流出や盗用が難しくなっており，安全面では保障されている。しかし，周辺の環境要因やユーザの指紋入力状態により指紋認識機宜認識率は影響を受けるため，安定的にユーザ保安サービスを遂行するのが難しいという問題点がある。
【発明の開示】
【０００７】
本発明は上記従来の問題点を解決するために案出したものであって，その目的は，移動通信端末機に登録されているユーザ本人確認のための電子署名データを無人発給／支給システムに無線で提供し，本人の確認手順を遂行することのできる，移動通信端末機の赤外線通信を利用したユーザ認証システムおよびその方法を提供することにある。
【０００８】
本発明の他の目的は，移動通信端末機および無人発給／支給システム間の赤外線通信により移動通信端末機ユーザの電子署名データを介した本人認証を可能とする，移動通信端末機の赤外線通信を利用したユーザ認証システムおよびその方法を提供することにある。
【０００９】
上記のような目的を達成するために，本発明の望ましい実施形態によるシステムによれば，特定サービスを利用するユーザの本人確認をするために，ユーザの電子署名データを赤外線信号として発生する移動通信端末機と；上記移動通信端末機から受信した電子署名データの有効性を確認し，上記確認結果に基づき上記サービスの利用を許可する無人情報提供手段と；上記移動通信端末機の発給処理要求により認証書を登録し，上記無人情報提供手段がユーザ認証の有効性確認をするために、上記認証書を通信網を介して伝送する認証書提供手段と；を含むことを特徴とする，移動通信端末機の赤外線通信を利用したユーザ認証システムを提供する。
【００１０】
上記した目的を達成するために，本発明の望ましい実施形態による方法によれば，移動通信端末機のユーザにより，無人情報提供手段に対する特定発給／支給サービスの要求が遂行される段階と，上記無人情報提供手段の電子署名要求により上記移動通信端末機で作成された電子署名データが，赤外線通信を介して無人情報提供手段に伝送される段階と，上記無人情報提供手段で通信網を介して認証書提供手段から上記移動通信端末機が登録した認証書を獲得する段階と，上記無人情報提供手段で認証書および電子署名データの検証によりユーザの本人確認を遂行する段階と，上記ユーザの本人確認が行われれば，特定発給／支給サービスを許す段階と，を含むことを特徴とする移動通信端末機の赤外線通信を利用したユーザ認証方法を提供する。
【発明を実施するための最良の形態】
【００１１】
以下，本発明の望ましい実施形態による移動通信端末機の赤外線通信を利用したユーザ認証システムについて，添付した図面を参照しながら説明する。
【００１２】
図１は本発明による移動通信端末機の赤外線通信を利用したユーザ認証システムを具現するための通信網構成を示した図面である。
【００１３】
図１に示したように，本発明による移動通信端末機の赤外線通信を利用したユーザ認証システムは，移動通信端末機１０と，ゲートウェイ１２と，認証管理サーバ１４と，ディレクトリサーバ（Ｄｉｒｅｃｔｏｒｙ  Ｓｅｒｖｅｒ）１６と，無人情報提供装置１８とから構成される。
【００１４】
上記移動通信端末機１０は，移動通信網を介して相手方と音声通話およびデータ通信が可能であり，移動通信網およびインターネットを介して上記認証管理サーバ１４と接続される。上記移動通信端末機１０は，ＰＫＩ（Ｐｕｂｌｉｃ  Ｋｅｙ  Ｉｎｆｒａｓｔｒｕｃｔｕｒｅ）に基づく電子署名方式によってー対の個人キーおよび公開キーを生成する。また，上記認証管理サーバ１４から認証書と，該認証書を用いた電子署名データとの発給を受ける。
【００１５】
また，上記移動通信端末機１０は，上記認証管理サーバ１４により生成された電子署名データを，上記無人情報提供装置１８に赤外線通信を介して伝送して該端末機ユーザの本人認証手順が遂行されるようにする。該移動通信端末機１０のユーザは上記無人情報提供装置１８との赤外線通信により本人確認手順が完了すると，該当無人情報提供装置１８が提供する有形または無形の支給／発給サービスを遂行することができるようになる。
【００１６】
ここで，上記移動通信端末機１０は図２に示したように，移動通信端末機のプラットフォーム２０上に保安ライブラリ２２，認証書保存部２４，認証書発給処理モジュール２６，保安サービスモジュール２８，認証書管理モジュール３０および電子署名サービスモジュール３２のアプリケーション構成を備える。また，上記移動通信端末機１０は，移動通信網とのアップリンク／ダウンリンクを介した両方向無線通信を遂行する無線モデムモジュール３４と，外部との赤外線信号送／受信を遂行する赤外線通信処理部３６とを含んでいる。
【００１７】
上記移動通信端末機１０のアプリケーション構成に含まれる，上記保安ライブラリ２２は，保安サービスのためのプログラムとリンクして，保安サービスの進行に必要な情報を提供することができるようにする。上記認証書保存部２４は，上記認証管理サーバ１４から提供される該端末機ユーザに対する認証書データを保存する。
【００１８】
上記認証書発給処理モジュール２６は，ＰＫＩに基づく電子署名方式を利用して個人キー／公開キー対を生成し，上記認証管理サーバ１４から認証書の発給を受けるための処理を遂行する。上記保安サービスモジュール２８は，認証書の発給処理とその認証書を利用した電子署名処理に対する保安サービスの処理とをする。上記認証書管理モジュール３０は，上記認証書発給処理モジュール２６を介して発給された認証書の管理処理を遂行する。
【００１９】
上記電子署名サービスモジュール３２は，上記無人情報提供装置１８との赤外線通信をする際，上記認証管理サーバ１４から発給された認証書および個人キーを用いて電子署名を遂行することにより，上記無人情報提供装置１８との赤外線通信により送受信されるデータの暗号化／復号化を可能とする。
【００２０】
一方，上記赤外線通信処理部３６は，上記電子署名サービスモジュール３２と連動して電子署名データを赤外線信号に変換して伝送し，また上記無人情報提供装置１８から伝送されてきた赤外線信号を認識が可能な信号に変換する。
【００２１】
図１で，上記ゲートウェイ１２は移動通信網とインターネットとの間に備えられ，移動通信網からの通信信号をインターネットで用いられるパケットに変換し，また上記インターネットからのパケットを移動通信網を介して移動通信端末機１０に受信可能な通信信号に変換する。
【００２２】
上記認証管理サーバ１４は，インターネットと移動通信網を介して上記移動通信端末機１０と接続され，ＰＫＩ基盤の電子署名方式に基づいて，生成された個人キー／公開キー対を介して該移動通信端末機１０に認証書を発給し，発給された認証書を上記ディレクトリサーバ１６に登録する。
【００２３】
上記ディレクトリサーバ１６は上記認証管理サーバ１４から発給された認証書を登録して保存しているが，上記無人情報提供装置１８からのインターネットを介した認証書要求により上記登録された認証書を提供する。
【００２４】
上記無人情報提供装置１８は現金の入金／支給や，各種民間書類の発給などのような多様な有形または無形の発給／支給サービスを無人で遂行する。これは上記移動通信端末機１０との赤外線通信により電子署名データを受信し，上記認証管理サーバ１４から該移動通信端末機１０の認証書（すなわち，認証書のＵＲＬ）の伝達を受け，最も直近の認証書廃棄目録（ＣＲＬ：Ｃｅｒｔｉｆｉｃａｔｅ  Ｒｅｖｏｃａｔｉｏｎ  Ｌｉｓｔ）を根拠にして認証書の有効性検証を遂行する。続いて，上記認証書を介して電子署名の有効性を検証すると共に，その認証書に含まれた身元確認情報を介してユーザの本人確認処理を遂行する。
【００２５】
ここで，上記無人情報提供装置１８は図３に示したように，キーパッド４０，赤外線ポート４２，通信信号変換モジュール４４，赤外線通信モジュール４６，制御モジュール４８，保安サービスライブラリ５２，ネットワークインターフェースアダプタ５４および情報提供モジュール５６を含んで構成される。
【００２６】
上記無人情報提供装置１８のキーパッド４０は，ユーザが機能選択をするため複数のファンクションキーボタンを具備している。上記赤外線ポート４２は，無人情報提供装置１８の前面所定位置に備えられ，上記移動通信端末機１０の赤外線ポートと赤外線信号送受信を遂行する。
【００２７】
上記通信信号変換モジュール４４は，上記赤外線ポート４２からの赤外線信号を制御モジュール４８で処理が可能な信号に変換し，また上記赤外線通信モジュール４６からの赤外線信号を上記赤外線ポート４２を介して伝送させるための信号処理を遂行する。
【００２８】
上記赤外線通信モジュール４６は，上記赤外線ポート４２を介して上記移動通信端末機１０と赤外線通信初期化を遂行し，また上記移動通信端末機１０に伝送するための信号を赤外線信号で生成する。
【００２９】
上記制御モジュール４８は，上記キーパッド４０へのユーザキー入力により上記情報提供モジュール５６で遂行されるサービスが要求されると，検証制御プログラム５０の実行下で上記認証管理サーバ１４から認証書を受信した認証書廃棄目録に基づき認証書の有効性可否を確認して，その認証書を介した電子署名有効性確認およびユーザ本人確認処理を遂行する。
【００３０】
ここで，上記制御モジュール４８は，上記移動通信端末機１０のユーザに対する本人確認認証が完了すると，上記情報提供モジュール５６を活性化させて上記端末機ユーザが要求するサービスが遂行される。
【００３１】
上記保安サービスライブラリ５２は，上記制御モジュール４８で駆動される検証制御プログラムと連動して電子署名の検証処理のために必要な情報を提供する。上記ネットワークインターフェースアダプタ５４は，インターネットを介して上記認証管理サーバ１４と接続され，移動通信端末機１０ユーザの本人確認認証処理のためのデータ交換を遂行する。
【００３２】
上記情報提供モジュール５６は，上記制御モジュール４８の制御によりその動作が活性化されて，現金の入金／支給や各種民間書類の発給処理などのような多様な発給／支給サービスをユーザに提供する。
【００３３】
一方，上記移動通信端末機１０と上記無人情報提供装置１８の赤外線通信により送受信される赤外線信号に対するプロトコル構造は図４に示したように，物理層（Ｐｈｉｓｉｃａｌ  Ｌａｙｅｒ）６０，ＩｒＬＡＰ（Ｉｒ  Ｌｉｎｋ  Ａｃｃｅｓｓ  Ｐｒｏｔｏｃｏｌ）６２，ＩｒＬＭＰ（Ｉｒ  Ｌｉｎｋ  Ｍａｎａｇｅｍｅｎｔ  Ｐｒｏｔｏｃｏｌ）６４，ＴｉｎｙＴＰ６６，ＩＡＳ（Ｉｎｆｏｒｍａｔｉｏｎ  Ａｃｃｅｓｓ  Ｓｅｒｖｉｃｅ）６８，ＩｒＬＡＮ（Ｉｒ  Ｌｏｃａｌ  Ａｒｅａ  Ｎｅｔｗｏｒｋｓ）７０，ＯＢＥＸ（Ｏｂｊｅｃｔ  Ｅｘｃｈａｎｇｅ  Ｓｅｒｖｉｃｅｓ）７２およびＩｒＣＯＭＭ  ７４で構成される。
【００３４】
上記ＩｒＬＡＰ６２は，伝送するデータに対して各デバイス間の信頼性ある接続のためのプロトコルである。ＩｒＬＭＰ６４は，上記ＩｒＬＡＰ６２の接続のための多重チャネルを提供するマルチプレクシングを遂行するためのプロトコルである。Ｔｉｎｙ  ＴＰ６６は，上記ＩｒＬＭＰ６４の接続下で流れ制御を遂行するためのプロトコルである。ＩＡＳ６８は，上記ＩｒＬＭＰ６４のプロトコルおよびサービス提供のための情報接続を遂行する。ＩｒＬＡＮ７０はラン（ＬＡＮ）環境下で赤外線通信の無線接続を支援するプロトコルである。ＯＢＥＸ７２は，ＨＴＴＰと同様のオブジェクト交換サービスを遂行し，ＩｒＣＯＭＭ７４はプリンタやモデムに使われる直列または並列ポートを制御する。
【００３５】
本発明による赤外線プロトコルのスタックは，上記ＯＢＥＸ７２を用いて上記移動通信端末機１０と無人情報提供装置１８との間にユーザの本人確認のための電子署名データの交換が遂行される。
【００３６】
続いて，上記したように構成された本発明の動作を図５のフローチャートを参照しながら詳細に説明する。
【００３７】
まず，移動通信端末機１０のユーザにより無人情報提供装置１８のキーパッド４０がキー操作されて，特定のサービスの利用のための発給／支給情報の選択と個人情報の入力とが遂行される（段階Ｓ１０）。続いて，上記無人情報提供装置１８の制御モジュール４８は赤外線通信モジュール４６を赤外線受信待機モードに設定する（段階Ｓ１１）。
【００３８】
続いて，上記移動通信端末機１０は，ユーザの操作によって認証書保存部２４の認証書を基礎にして電子署名を遂行する（段階Ｓ１２）。その後，該移動通信端末機１０が上記無人情報提供装置１８の赤外線ポート４２と通信できるように位置すると，相互赤外線通信の初期化を遂行する（段階Ｓ１３）。
【００３９】
その後，上記無人情報提供装置１８の制御モジュール４８は，上記赤外線通信モジュール４６を介して電子署名を要求するメッセージを赤外線信号の形態で伝送する（段階Ｓ１４）。上記移動通信端末機１０は，上記無人情報提供装置１８からの要求メッセージに基づいて電子署名サービスモジュール３２を駆動し，赤外線通信処理部３６を介して電子署名データを赤外線信号の形態で伝送する（段階Ｓ１５）。
【００４０】
それによって，上記無人情報提供装置１８の制御モジュール４８は，検証制御プログラム５０の駆動下で上記移動通信端末機１０から電子署名データを受信し，ネットワークインターフェースアダプタ５４を介してインターネット上のディレクトリサーバ１６に接続され，上記移動通信端末機１０のユーザに対する認証書を照会する（段階Ｓ１６）。
【００４１】
上記ディレクトリサーバ１６は，上記無人情報提供装置１８からの認証書照会によって上記認証管理サーバ１４から発給され，登録された該移動通信端末機１０ユーザの認証書を提供する（段階Ｓ１７）。さらに，上記認証書の有効性検証のために必要な最も直近の認証書廃棄目録（ＣＲＬ）を提供する（段階Ｓ１８）。
【００４２】
続いて，上記無人情報提供装置１８の制御モジュール４８は，検証制御プログラム５０の駆動の下に上記認証書廃棄目録を介して認証書の有効性を検証し，その認証書を介して上記移動通信端末機１０から受信した電子署名データの検証およびユーザ本人確認処理を遂行する（段階Ｓ１９）。
【００４３】
最後に，上記無人情報提供装置１８は，上記移動通信端末機１０に赤外線信号の形態で電子署名の検証結果を伝送する（段階Ｓ２０）。上記過程を経て，情報提供モジュール５６を活性化させ上記移動通信端末機１０のユーザが要求する発給／支給サービスを遂行することが可能となる。
【００４４】
以上詳細に説明したように，本発明による移動通信端末機の赤外線通信を利用したユーザ認証システムおよびその方法は，機密性とサービスの安定性を獲得できるという効果を有し，現金入金／支給機や公共機関の民間書類発給機などのような多様な無人サービス機器に本発明のユーザ認証サービスを広範囲に適用して，さらに安定的で保安性が高いサービスを提供することができるという効果を有する。
【００４５】
一方，本発明は上述した典型的な望ましい実施形態だけに限られることなく，本発明の要旨を外れない範囲内で改良，変更，代替または付加して実施することができることは該技術分野に通常の知識を有する者ならば容易に理解できることである。このような改良，変更，代替または付加による実施が添付された特許請求範囲の範疇に属することならばその技術的思想も本発明に属することと見なければならない。
【図面の簡単な説明】
【００４６】
【図１】本発明による移動通信端末機の赤外線通信を利用したユーザ認証システムを具現するための通信網構成を示した図面。
【図２】図１に示した移動通信端末機の電子署名のためのアプリケーション構成を示した図面。
【図３】図１に示した無人情報提供装置の構成を詳細に示した図面。
【図４】本発明によって適用される赤外線通信用データのプロトコル構造を示した図面。
【図５】本発明による移動通信端末機の赤外線通信を利用したユーザ認証方法に対する動作を説明するためのフローチャートである。
【符号の説明】
【００４７】
１０  移動用端末機
１２  ゲートウェイ
１４  認証管理サーバ
１６  ディレクトリサーバ
１８  無人情報提供装置
２０  移動通信端末機プラットフォーム
２２  保安ライブラリ
２４  認証書保存部
２６  認証書発給処理モジュール
２８  保安サービスモジュール
３０  認証書管理モジュール
３２  電子署名サービスモジュール
３４  無線モデムモジュール
３６  赤外線通信処理部
４０  キーパッド
４２  赤外線ポート
４４  通信信号変換モジュール
４６  赤外線通信モジュール
４８  制御モジュール
５２  保安サービスライブラリ
５４  ネットワークインターフェースアダプタ
５６  情報提供モジュール
Ｓ１０  発給情報選択および個人情報入力
Ｓ１１  赤外線受信待機モード
Ｓ１２  電子署名遂行
Ｓ１３  赤外線通信初期化
Ｓ１４  電子署名要求
Ｓ１５  電子署名データ伝送
Ｓ１６  認証書照会
Ｓ１７  認証書獲得
Ｓ１８  認証書廃棄目録獲得
Ｓ２０  検証結果伝送
【図１】
2006522558.tif 000003
【図２】
2006522558.tif 000004
【図３】
2006522558.tif 000005
【図４】
2006522558.tif 000006
【図５】
2006522558.tif 000007
【国際調査報告】
2006522558.tif 000008